Podtech/llm-jp-corpus-v4-ja_patent huggingface dataset:
【手続補正書】
【提出日】平成19年6月6日(2007.6.6)
【手続補正１】
【補正対象書類名】特許請求の範囲
【補正対象項目名】全文
【補正方法】変更
【補正の内容】
【特許請求の範囲】
【請求項１】
式(I)の化合物、ならびにその塩、溶媒和物、および生理学的に機能しうる誘導体：
【化１】
2007505164.tif 000001
（式中、
R1はシアノ、ニトロ、ハロゲン、トリフルオロメチル、トリフルオロエチル、ヘテロシクリル、ヒドロキシ、アルコキシ、ハロアルコキシ、-OC(O)R6、-CO2R6、-CONHR6、-C(O)R6、-S(O)nR6、-SO2N(R6)2、-NHC(O)R6、または-NHSO2R6であり；
R2はH、シアノ、ニトロ、ハロゲン、トリフルオロメチル、トリフルオロエチル、アルキル、アルケニル、アルキニル、ヒドロキシ、アルコキシ、ハロアルコキシ、-OC(O)R6、またはアリールであり；
R3およびR4はそれぞれ独立に-(CH2)x-R5であり、
ここでxは０〜６、R5はH、アルキル、ヒドロキシ、トリフルオロメチル、トリフルオロエチル、アルケニル、アルキニル、シクロアルキル、ヘテロシクリル、-C(O)OR7、または-N(R8)2より選択され；
各R6は独立にH、アルキル、アルケニル、アルキニル、シクロアルキル、ヘテロシクリル、アリール、アラルキル、ヘテロアリール、またはヘテロアラルキルであり；
各R7は独立にH、アルキル、シクロアルキル、またはアリールであり；
各R8は独立にHまたはアルキルであり；
R9はH、シアノ、ニトロ、ハロゲン、トリフルオロメチル、トリフルオロエチル、アルキル、アルケニル、アルキニル、ヒドロキシ、アルコキシ、ハロアルコキシ、-OC(O)R8、またはアリールである）。
【請求項２】
R1がシアノ、ニトロ、またはハロゲンである、請求項１に記載の化合物。
【請求項３】
R3が-(CH2)x-R5であり、xは0、かつR5はH、アルキル、トリフルオロメチル、またはトリフルオロエチルである、請求項１に記載の化合物。
【請求項４】
R3が-(CH2)x-R5であり、xは1、かつR5はシクロアルキルである、請求項１に記載の化合物。
【請求項５】
R4が-(CH2)x-R5であり、xは0、かつR5はアルキル、シクロアルキル、またはヒドロキシである、請求項１に記載の化合物。
【請求項６】
R4が-(CH2)x-R5であり、xは１〜６、かつR5はアルキル、アルケニル、トリフルオロメチル、トリフルオロエチル、ヒドロキシ、シクロアルキル、ヘテロシクリル、ヘテロアリール、または-N(R10)2であり、各R10はC1〜C6アルキル基である、請求項１に記載の化合物。
【請求項７】
次の化合物：
N-(シクロプロピルメチル)-N-(4-ニトロ-1-ナフチル)-N-プロピルアミン；
N-シクロヘキシル-N-メチル-4-ニトロ-1-ナフタレンアミン；
N-(4-ニトロ-1-ナフチル)-N,N-ジプロピルアミン；
N-ブチル-N-メチル-N-(4-ニトロ-1-ナフチル)アミン；
4-[エチル(2-メチル-2-プロペニル)アミノ]-1-ナフトニトリル；
N-ブチル-N-エチル-4-ニトロ-1-ナフタレンアミン；
4-[ブチル(メチル)アミノ]-1-ナフトニトリル；
4-[(シクロプロピルメチル)(プロピル)アミノ]-1-ナフトニトリル；
N1-エチル-N2,N2-ジメチル-N1-(4-ニトロ-1-ナフチル)-1,2-エタンジアミン；
4-(プロピルアミノ)-1-ナフトニトリル；
4-[(3-ヒドロキシプロピル)アミノ]-1-ナフトニトリル；
3-[(4-ニトロ-1-ナフチル)アミノ]プロパン-1-オール；
4-[(シクロプロピルメチル)アミノ]-1-ナフタレンカルボニトリル；
4-{(シクロプロピルメチル)[3-(1-ピペリジニル)プロピル]アミノ}-1-ナフタレンカルボニトリルトリフルオロ酢酸塩；
4-[(シクロプロピルメチル)(3-ヒドロキシプロピル)アミノ]-1-ナフタレンカルボニトリル；
4-ニトロ-N-(2,2,2-トリフルオロエチル)-1-ナフタレンアミン；
4-ブロモ-N-(2,2,2-トリフルオロエチル)-1-ナフタレンアミン；
4-ブロモ-N,N-ビス(2,2,2-トリフルオロエチル)-1-ナフタレンアミン；
4-[(2,2,2-トリフルオロエチル)アミノ]-1-ナフタレンカルボニトリル；
4-[ビス(2,2,2-トリフルオロエチル)アミノ]-1-ナフタレンカルボニトリル；
4-[プロピル(2,2,2-トリフルオロエチル)アミノ]-1-ナフタレンカルボニトリル；
4-[2-プロペン-1-イル(2,2,2-トリフルオロエチル)アミノ]-1-ナフタレンカルボニトリル；および
4-[(2-ヒドロキシエチル)(2,2,2-トリフルオロエチル)アミノ]-1-ナフタレンカルボニトリル
から選択される、請求項１に記載の化合物。
【請求項８】
実施例のいずれか１つに従って製造される、実質的に上記で定義したとおりの請求項１〜７のいずれか１項に記載の化合物。
【請求項９】
請求項１〜７のいずれか１項に記載の化合物および製薬上許容される担体を含む医薬組成物。
【請求項１０】
治療用有効成分として使用するための、請求項１〜７のいずれか１項に記載の化合物。
【請求項１１】
選択的アンドロゲン受容体モジュレーションに応答する症状もしくは障害の治療または予防に使用するための、請求項１〜７のいずれか１項に記載の化合物。
【請求項１２】
骨粗鬆症、筋肉疲労、虚弱、心臓血管疾患、乳癌、子宮癌、前立腺過形成、前立腺癌、異常脂質血症、更年期血管運動症状、尿失禁、動脈硬化症、性欲亢進、抑うつ、子宮筋腫症、大動脈平滑筋細胞増殖、子宮内膜症、もしくはADAMの治療または予防に使用するための、請求項１〜７のいずれか１項に記載の化合物。
【請求項１３】
選択的アンドロゲン受容体モジュレーションに応答する症状もしくは障害の治療用または予防用の医薬の製造における、請求項１〜７のいずれか１項に記載の化合物の使用。
【請求項１４】
骨粗鬆症、筋肉疲労、虚弱、心臓血管疾患、乳癌、子宮癌、前立腺過形成、前立腺癌、異常脂質血症、更年期血管運動症状、尿失禁、動脈硬化症、性欲亢進、抑うつ、子宮筋腫症、大動脈平滑筋細胞増殖、子宮内膜症、もしくはADAMの治療用または予防用の医薬の製造における、請求項１〜７のいずれか１項に記載の化合物の使用。
【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
下記の化合物群から選ばれた物質１種以上に１種以上のアクリル系モノマーを共重合させてなる高分子組成物：
【化１】
2007505170.tif 000001
【請求項２】
下記の化合物群から選ばれた物質１種以上に１種以上のシロキサン系オリゴマーを共重合させてなる高分子組成物：
【化２】
2007505170.tif 000002
【請求項３】
下記の化合物群から選ばれた物質１種以上に１種以上のアクリル系モノマーを共重合させてなる高分子組成物１種以上を含んでなり、青光吸収特性を有する眼球デバイス：
【化３】
2007505170.tif 000003
【請求項４】
前記眼球デバイスが半製品シリコーンから製造されている、請求項３に記載の眼球デバイス。
【請求項５】
前記眼球デバイスが１種以上のアクリル系モノマーから製造されている、請求項３に記載の眼球デバイス。
【請求項６】
前記眼球デバイスが１種以上のシロキサン系オリゴマーから製造されている、請求項３に記載の眼球デバイス。
【請求項７】
請求項１又は２に記載の高分子組成物１種以上を含んでなり、青光吸収特性を有する眼球デバイス。
【請求項８】
下記の化合物群から選ばれた物質１種以上に１種以上のアクリル系モノマーを共重合させてなる高分子組成物１種以上を含んでなり、青光吸収特性を有する眼内レンズ：
【化４】
2007505170.tif 000004
【請求項９】
前記レンズが半製品シリコーンから製造されている、請求項８に記載の眼内レンズ。
【請求項１０】
前記レンズが１種以上のアクリル系モノマーから製造されている、請求項８に記載の眼内レンズ。
【請求項１１】
前記レンズが１種以上のシロキサン系オリゴマーから製造されている、請求項８に記載の眼内レンズ。
【請求項１２】
請求項１又は２に記載の高分子組成物１種以上を型にキャストしてからそれを硬化することを特徴とする、眼球デバイスの製造方法。
【請求項１３】
請求項１又は２に記載の高分子組成物１種以上を型にキャストしてからそれを硬化することを特徴とする、眼内レンズの製造方法。
【請求項１４】
前記眼球デバイスが、コンタクトレンズ、人工角膜移植、内包性袋伸展輪、角膜インレー、角膜輪及び眼内レンズからなる群より選択される、請求項３又は７に記載の眼球デバイス。
【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
蛍光タンパク質と結合した標識コロナウイルスタンパク質もしくはその断片。
【請求項２】
タンパク質が構造タンパク質もしくは非構造タンパク質である、請求項１に記載の標識コロナウイルスタンパク質。
【請求項３】
構造タンパク質が、ヌクレオカプシド リン酸化タンパク質、スパイク糖タンパク質、膜糖タンパク質、スモールエンベロープタンパク質もしくは血球凝集素-エステラーゼ糖タンパク質からなる一群から選択される、請求項２に記載の標識コロナウイルスタンパク質。
【請求項４】
構造タンパク質が、SARSスパイク糖タンパク質である、請求項２に記載の標識コロナウイルスタンパク質。
【請求項５】
構造タンパク質が、SARSスモールエンベロープタンパク質である、請求項２に記載の標識コロナウイルスタンパク質。
【請求項６】
構造タンパク質が、SARSマトリックスタンパク質である、請求項２に記載の標識コロナウイルスタンパク質。
【請求項７】
蛍光タンパク質が緑色もしくは赤色タンパク質である、請求項１に記載の標識コロナウイルスタンパク質。
【請求項８】
請求項１〜７のいずれか１つに記載の標識コロナウイルスタンパク質をコードしているコロナウイルスを含んでなる感染の、画像解析可能な動物モデル。
【請求項９】
蛍光タンパク質を発現する宿主である、請求項８に記載の画像解析可能な動物モデル。
【請求項１０】
動物モデルがトランスジェニック緑色蛍光タンパク質発現マウスを含んでなる、請求項９に記載の画像解析可能な動物モデル。
【請求項１１】
抗ウイルス薬をスクリーニングする方法であって、
テスト群の動物および対照群の動物を提供すること（ここで、各群の動物は請求項８〜１０のいずれか１つに記載の動物モデルを含んでなる）；
テスト群に抗ウイルス薬候補を投与すること；
テスト群および対照群によって生じる蛍光発光をモニターすること；
テスト群によって生じる蛍光発光を対照群と比較すること；および
対照群と比較してテスト群で蛍光を減少させる抗ウイルス薬候補を選択すること、
を含んでなる前記方法。
【請求項１２】
有効な抗ウイルス性ワクチンをスクリーニングする方法であって、
テスト群の動物および対照群の動物を提供すること（ここで、各群の動物は請求項８〜１０のいずれか１つに記載の動物モデルを含んでなる）；
テスト群に抗ウイルス性ワクチン候補を投与すること；
テスト群および対照群によって生じる蛍光発光をモニターすること；
テスト群によって生じる蛍光発光を対照群と比較すること；および
対照群と比較してテスト群で蛍光を減少させる抗ウイルス性ワクチン候補を選択すること、
を含んでなる前記方法。
【手続補正２】
【補正対象書類名】明細書
【補正対象項目名】００１６
【補正方法】変更
【補正の内容】
【００１６】
Cornelis および共同研究者らは、研究用にマウスコロナウイルスモデルを利用した。このウイルスの配列は当業者によく知られている。ヒトSARSウイルスの少なくとも１つの変異体が配列決定された（Marra, M.A., et al., “The Genome sequence of the SARS-associated coronavirus” Science 300 (5624), 1399-1404 (2003)）。この配列は公開され、アクセッション：NC 004718として入手可能である。このSARS変異体のゲノム配列は本明細書において、表１の配列番号１として与えられる。
【表１】
2007505163.tif 000001
2007505163.tif 000002
2007505163.tif 000003
2007505163.tif 000004
2007505163.tif 000005
2007505163.tif 000006
2007505163.tif 000007
2007505163.tif 000008
2007505163.tif 000009
2007505163.tif 000010
【手続補正３】
【補正対象書類名】明細書
【補正対象項目名】００３３
【補正方法】変更
【補正の内容】
【００３３】
DIssA-特異的配列を含有するクローンの単離：DIssA関連サブゲノムRNAを増幅するために、まずプライマーとしてオリゴヌクレオチド1116（5'-CTGAAACTCTTTTCCCT-3'）（配列番号２）を用いてcDNAを細胞内RNAから合成するが、このオリゴヌクレオチドはプラス鎖MHV mRNAと、mRNA7の5’末端から250-267ヌクレオチドの位置で結合する。その後MHV-特異的cDNAをオリゴヌクレオチド78（5'-AGCTTTACGTACCCTCTCTACTATAAAACTCTTGTAGTTT-3'）（配列番号３）とともにインキュベートするが、このオリゴヌクレオチドは、RCPバッファー（0.05 M KCl、0.01 M Tris-HCl [pH 8.3]、0.0025 M MgCl2、0.01% ゼラチン、0.17 mM の各デオキシヌクレオシド三リン酸、5 U Taq ポリメラーゼ [Promega]）中で93.8℃にて30秒、37.8℃にて45秒、および72.8℃にて100秒を25サイクル繰り返して、MHV RNAのアンチリーダー配列に結合する。DIssAサブゲノムRNAはアガロースゲル電気泳動によって分離され、MHVゲノムRNAの3’末端から1.5-1.7kbに相当するプローブとハイブリダイズした。このプローブはすべてのMHV mRNAとハイブリダイズする。DIssAサブゲノムRNA-特異的RT-PCR産物をゲルから溶出して、TAクローニングベクター（Invitrogen）中にクローニングする。DIssA-特異的配列を含有するクローンを、サザンブロット分析用に使用されたプローブを用いてコロニーハイブリダイゼーションによって単離する。DIssA RNAを増幅するために、まずcDNAを、プライマーとしてオリゴヌクレオチド1116を使用することによって、ゲルで精製されたDIssA RNAから合成する。DIssA-特異的cDNAを次に、オリゴヌクレオチド10121（5'-GAAGGGTTGTATGTGTTG-3'）（配列番号４）とともにインキュベートするが、このオリゴヌクレオチドは、PCRバッファー中、上記PCR条件下で、マイナス鎖MHV RNAと、遺伝子2の5’末端からヌクレオチド798-815の位置で結合する。DIssA-特異的RT-PCR産物は調製用ゲルから溶出され、TAクローニングベクター中にクローニングする。DIssA-特異的配列を含有するクローンを、MHV遺伝子2-1でハイブリダイズするプローブを用いてコロニーハイブリダイゼーションによって単離する。
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
（ａ）ポリオレフィンと、
（ｂ）セルロース充填材と、
（ｃ）３５ｍｇＫＯＨ／ｇより高い酸価を有するカルボン酸および／またはカルボン酸無水物グラフトポリオレフィンと、
（ｄ）複合物の重量に基づいて８乃至２０重量％の量で存在する基本の反応性充填材と、
からなる熱可塑性複合物。
【請求項２】
前記グラフトポリオレフィンの酸価は、４０ｍｇＫＯＨ／ｇより高いことを特徴とする請求項１に記載の複合物。
【請求項３】
前記グラフトポリオレフィンの酸価は、４０乃至５０ｍｇＫＯＨ／ｇであることを特徴とする請求項１に記載の複合物。
【請求項４】
前記グラフトポリオレフィンは、５０，０００ｇ／ｍｏｌ未満の分子量を有することを特徴とする請求項１乃至３のいずれか一項に記載の複合物。
【請求項５】
前記グラフトポリオレフィンは、２０，０００ｇ／ｍｏｌ未満の分子量を有することを特徴とする請求項１乃至３のいずれか一項に記載の複合物。
【請求項６】
前記グラフトポリオレフィンは、１０００乃至１０，０００ｇ／ｍｏｌの分子量を有することを特徴とする請求項１乃至３のいずれか一項に記載の複合物。
【請求項７】
前記グラフトポリオレフィンは、複合物の重量に基づいて５重量％までの量で存在することを特徴とする請求項１乃至６のいずれか一項に記載の複合物。
【請求項８】
前記グラフトポリオレフィンは、複合物の重量に基づいて１乃至３重量％の量で存在することを特徴とする請求項１乃至６のいずれか一項に記載の複合物。
【請求項９】
前記カルボン酸および／またはカルボン酸無水物グラフトポリオレフィンは、マレイン酸無水物グラフトポリプロピレンであることを特徴とする請求項１乃至８のいずれか一項に記載の複合物。
【請求項１０】
前記基本の反応性充填材は、ＣａＯ、ＭｇＯ、Ａｌ２Ｏ３およびそれらの混成からなる群から選択されることを特徴とする請求項１乃至９のいずれか一項に記載の複合物。
【請求項１１】
前記ポリオレフィンは、複合物の重量に基づいて２０乃至９０重量％の量で存在することを特徴とする請求項１乃至１０のいずれか一項に記載の複合物。
【請求項１２】
前記ポリオレフィンはポリプロピレンまたはポリエチレンであることを特徴とする請求項１乃至１１のいずれか一項に記載の複合物。
【請求項１３】
前記セルロース充填材は、複合物の重量に基づいて３０乃至８０重量％の量で存在することを特徴とする請求項１乃至１２のいずれか一項に記載の複合物。
【請求項１４】
前記セルロース充填材は、繊維質であることを特徴とする請求項１乃至１３のいずれか一項に記載の複合物。
【請求項１５】
前記セルロース充填材は、木粉であることを特徴とする請求項１乃至１３のいずれか一項に記載の複合物。
【請求項１６】
二次的な強化材、潤滑剤、衝撃改良剤、充填材、顔料、色素、抗酸化剤、安定剤、難燃剤、再燃焼助剤、結晶化助剤、アセトアルデヒド還元合成物、リサイクリングリリースエイド、酸素捕捉剤、可塑剤、柔軟剤、成核剤、発泡剤、離型剤、またはそれらの混成をさらに含むことを特徴とする請求項１乃至１５のいずれか一項に記載の複合物。
【請求項１７】
（ａ）ポリプロピレンと、
（ｂ）セルロース充填材と、
（ｃ）３５ｍｇＫＯＨ／ｇより高い酸価を有する無水マレイン酸グラフトポリプロピレンと、
（ｄ）複合物の重量に基づいて８乃至２０重量％の量で存在する基本の反応性充填材と、
からなる熱可塑性複合物。
【請求項１８】
前記基本の反応性充填材は、ＣａＯ、ＭｇＯ、Ａｌ２Ｏ３およびそれらの混成からなる群から選択されることを特徴とする請求項１７に記載の複合物。
【請求項１９】
前記無水マレイン酸グラフトポリプロピレンは、２０，０００ｇ／ｍｏｌ未満の分子量を有することを特徴とする請求項１７または１８に記載の複合物。
【請求項２０】
前記無水マレイン酸グラフトポリプロピレンは、複合物の重量に基づいて１乃至３重量％の量で存在することを特徴とする請求項１７乃至１９のいずれか一項に記載の複合物。
【請求項２１】
ガラスファイバーをさらに含むことを特徴とする請求項１７乃至２０のいずれか一項に記載の複合物。
【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
式Ｖ
【化１】
2007505119.tif 000001
［式中、
Ｒ１は、ＣＮ、ＦまたはＣｌであり；
Ｒ２は、ＨまたはＢｒであり；
ならびにＲ３およびＲ４は、各々独立してＨまたはＦである］
の化合物の製造方法であって、式（ＩＩ）
【化２】
2007505119.tif 000002
［式中、Ｒ１およびＲ２は、上記と同意義である］
の化合物を、式（ＩＶ）
【化３】
2007505119.tif 000003
［式中、Ｒ３およびＲ４は、上記と同意義である］
の化合物と、Ｐｄ（ＰＰｈ３）２Ｃｌ２の存在下、反応させることを含んでなる、方法。
【請求項２】
反応が、Ｎａ２ＣＯ３の存在下、ＤＭＥ／水中で行われる、請求項１の方法。
【請求項３】
Ｒ１がＣＮである、請求項１または２の方法。
【請求項４】
Ｒ２がＨである、請求項１ないし３いずれか１項の方法。
【請求項５】
式（Ｖ）の化合物を変換して式（Ｉ）
【化４】
2007505119.tif 000004
［式中、Ｒ１、Ｒ２、Ｒ３およびＲ４は、請求項１と同意義である］
の化合物を与えるさらなる工程を含む、請求項１〜４いずれか１項に記載の方法。
【請求項６】
式（Ｉ）の化合物を与えるための式（Ｖ）の化合物の変換が、ＢＢｒ３との反応により達成される、請求項５の方法。
【請求項７】
式（Ｉ）の化合物を与えるための式（Ｖ）の化合物の変換が、ＣｌＣＨ２ＣＨ２Ｃｌ中、ＢＢｒ３との反応、続いてＥｔＯＨ／Ｈ２Ｏ／Ｃでの処理により達成される、請求項５または６の方法。
【請求項８】
式Ｉの化合物を医薬上許容される塩またはそのエステル形態に変換することをさらに含んでなる、請求項５ないし７いずれか１項の方法。
【請求項９】
式ＩＩＩ
【化５】
2007505119.tif 000005
の化合物を酢酸および濃塩酸の混合物中で塩化スズと共に加熱することにより式ＩＩの化合物を製造することをさらに含んでなる、請求項１ないし８いずれか１項の方法。
【請求項１０】
約４０−７０℃の温度で、酢酸中、約２−６当量の臭素を用いて、７−メトキシ−１−ナフトニトリルを二臭素化することにより、式ＩＩＩの化合物を製造することをさらに含んでなる、請求項９の方法。
【請求項１１】
ａ）７−メトキシ−１−テトラロンおよびヨウ化亜鉛の溶液をトリメチルシリルシアニドと混合して反応混合物を形成し；
ｂ）オキシ塩化リンおよびピリジンを反応混合物へ加えて不飽和ニトリルを形成し；次いで、
ｃ）その不飽和ニトリルと２，３−ジクロロ−５，６−ジシアノ−１，４−ベンゾキノンを反応させる：
工程により、７−メトキシ−１−ナフトニトリルを製造することをさらに含んでなる、請求項１０の方法。
【請求項１２】
Ｒ３がＦである、請求項１の方法。
【請求項１３】
Ｒ４がＨである、請求項１２の方法。
【請求項１４】
Ｒ１がＣＮであり、かつＲ２がＨである、請求項１２の方法。
【請求項１５】
ａ）７−メトキシ−１−テトラロンおよびヨウ化亜鉛の溶液をトリメチルシリルシアニドと混合して反応混合物を形成し；
ｂ）オキシ塩化リンおよびピリジンを反応混合物へ加えて不飽和ニトリルを形成し；次いで、
ｃ）その不飽和ニトリルと２，３−ジクロロ−５，６−ジシアノ−１，４−ベンゾキノンを反応させる：
ことを含んでなる、７−メトキシ−１−ナフトニトリルの製造方法。
【請求項１６】
工程ｃ）がトルエン中、約６０℃で行われる、請求項１５の方法。
【請求項１７】
７−メトキシ−１−ナフトニトリルを二臭素化して式ＩＩＩ
【化６】
2007505119.tif 000006
の化合物を形成することをさらに含んでなる、請求項１５の方法。
【請求項１８】
式ＩＩＩ
【化７】
2007505119.tif 000007
の化合物。
【請求項１９】
式Ｉの化合物の製造方法であって、以下の反応順序：
【化８】
2007505119.tif 000008
［ここで、ＤＭＥは１，２−ジメトキシエタンをいい、ＴＭＳＣＮはトリメチルシリルシアニドをいい、およびＤＤＱは２，３−ジクロロ−５，６−ジシアノ−１，４−ベンゾキノンをいう］
を含んでなる、方法。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
式(I)
【化１】
2007505114.tif 000001
Hetはピラゾール、イミダゾール、オキサゾール、トリアゾール、チアゾール、ピロール、フラン、又はチオフェンであり、
ＸはＯ、Ｓ、NR5、又はCH2であり、
R1は水素、ハロゲン、C1-6アルキル、トリフルオロメチル、又はフェニルであり、
R2はC3-7シクロアルキル又はC5-12ブリッジされたビシクロアルキルであり、
R3は水素、ハロゲン、C1-6アルキル、又はC1-6アルコキシであり、
R4は
【化２】
2007505114.tif 000002
であり、
R5は水素又はC1-6アルキルであり、
R6は水素、メチル、又はOR5であり、
R7はC1-6アルコキシ、シアノ、トリフルオロメチル、-CO2R5、-CONR9R10、SO2R5、又はSO2NR9R10であり、
R8は水素、ハロゲン、C1-6アルキル、C1-6アルコキシ、シアノ、トリフルオロメチル、アセト、CO2R5、又はCONR9R10であり、
R9及びR10は独立に水素、C1-6アルキル、-CH2CH2OHであり、又は
NR9R10は一緒にされてピロリジン、ピペリジン、4-ヒドロキシピペリジン、ピペラジン、4-メチルピペラジン、モルホリン、又はチオモルホリンを形成し、かつ
Ar1はハロゲン、C1-6アルキル、C1-6アルコキシ、シアノ、トリフルオロメチル、アセト、CO2R5、及びCONR9R10から選ばれた0-3個の置換基で置換されたチオフェン又はフェニルである〕
の化合物又はこれらの化合物の医薬上許される塩もしくは溶媒和物。
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
式(I)：
【化１】
2007505050.tif 000001
(式中、
Xは、ヒドロキシ、C1-6アルコキシ及び-NH-OHから選択され；
Yは、S、SO、SO2及びOから選択され；
R1は、水素、C1-6アルキル、C2-6アルケニル、C3-10シクロアルキル、C3-7ヘテロシクロアルキル、非置換又は置換のC1-6アルキルアリール基、非置換又は置換のC1-6アルキルヘテロアリール基、非置換又は置換のアリール基、非置換又は置換のヘテロアリール基から選択され、ここでR1に関連する置換基は、ハロゲン、C1-6アルキル及びC1-6アルコキシからなる群より独立して選択される1、2、3又は4つの置換分で置換され；そして
R2は、C1-6アルキル、C3-10シクロアルキル、C3-7ヘテロシクロアルキル、非置換又は置換のアリール基、非置換又は置換のヘテロアリール基、非置換又は置換のC1-6アルキルアリール基、あるいは非置換又は置換のC1-6アルキルヘテロアリール基から選択され、ここでR2に関連する置換基は、ハロゲン、C1-6アルキル、C3-10シクロアルキル、C1-6アルコキシ、ヒドロキシ、アミノカルボニルC1-6アルキル、トリフルオロメチル、トリフルオロメトキシ、トリフルオロメチルチオ、ヘテロアリール、ニトロ及びシアノからなる群より独立して選択される1、2、3又は4つの置換分で置換されるが；
但し、Xがヒドロキシ又はエトキシであり、YがS、SO又はSO2でありかつR1が水素であるときに、R2はメチルであることができず；
Xがメトキシ又はエトキシであり、YがSでありかつR1が水素であるときに、R2は4-ハロゲン-ピリダジン-3-オンであることができず；
Xがメトキシであり、YがSでありかつR1がメチルであるときに、R2は4-ハロゲン-ピリダジン-3-オンであることができない)
の化合物又は医薬的に許容されるその塩若しくはエステル。
【請求項２】
有効成分として、請求項1に規定される化合物又は医薬的に許容されるその塩を、医薬的に許容される担体又は希釈剤とともに含む医薬組成物。
【請求項３】
式(I)：
【化３】
2007505050.tif 000002
(式中、
Xは、ヒドロキシ、C1-6アルコキシ及び-NH-OHから選択され；
Yは、S、SO、SO2及びOから選択され；
R1は、水素、C1-6アルキル、C2-6アルケニル、C3-10シクロアルキル、C3-7ヘテロシクロアルキル、非置換又は置換のC1-6アルキルアリール基、非置換又は置換のC1-6アルキルヘテロアリール基、非置換又は置換のアリール基、非置換又は置換のヘテロアリール基から選択され、ここでR1に関連する置換基は、ハロゲン、C1-6アルキル及びC1-6アルコキシからなる群より独立して選択される1、2、3又は4つの置換分で置換され；そして
R2は、C1-6アルキル、C3-10シクロアルキル、C3-7ヘテロシクロアルキル、非置換又は置換のアリール基、非置換又は置換のヘテロアリール基、非置換又は置換のC1-6アルキルアリール基、あるいは非置換又は置換のC1-6アルキルヘテロアリール基から選択され、ここでR2に関連する置換基は、ハロゲン、C1-6アルキル、C3-10シクロアルキル、C1-6アルコキシ、ヒドロキシ、アミノカルボニルC1-6アルキル、トリフルオロメチル、トリフルオロメトキシ、トリフルオロメチルチオ、ヘテロアリール、ニトロ及びシアノからなる群より独立して選択される1、2、3又は4つの置換分で置換される)
の化合物又は医薬的に許容されるその塩若しくはエステルを、医薬的に許容される担体又は希釈剤とともに含む、細菌感染の治療用の医薬組成物。
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
４−メチルデカ−４−エン−３−オール。
【請求項２】
４−メチルデカ−４−エン−３−オールのフレグランス成分としての使用。
【請求項３】
４−メチルデカ−４−エン−３−オールを含むフレグランス組成物。
【手続補正書】
【提出日】平成19年9月4日(2007.9.4)
【手続補正１】
【補正対象書類名】特許請求の範囲
【補正対象項目名】全文
【補正方法】変更
【補正の内容】
【特許請求の範囲】
【請求項１】
鉄キレーターである第一の部分およびポリアミンである第二の部分を含む結合体である化合物、またはその塩、溶媒和物もしくは水和物であって、該キレーター部分が、約２５℃、約ｐＨ７および約０．１Ｍモル強度で、鉄（ＩＩ）または鉄（ＩＩＩ）と少なくとも約１０１２の全生成定数を有し、そしてデスフェリチオシンまたはその類似体もしくは誘導体から選択され、該ポリアミン部分が生理学的ｐＨで正に荷電され得る三つ以上の窒素原子を含む、化合物。
【請求項２】
前記鉄キレーターが、２−（２，４−ジヒドロキシフェニル）−４（Ｓ）−メチルチアゾリン−４−カルボン酸である、請求項１に記載の化合物。
【請求項３】
下記構造式（Ｉ）：
【化１】
2007505044.tif 000001
によって表される化合物、またはその塩、溶媒和物もしくは水和物であって、
ここで、
ａ、ｂおよびｃはそれぞれ独立して１〜５の整数であり；
Ｒは、−Ｈまたは置換もしくは非置換の、アルキル基、アシル基もしくはアリール基であり；
Ｒ’は、−Ｈまたは置換もしくは非置換のアシル基であり；そして
Ｒ’’は、−Ｈまたは置換もしくは非置換のアルキル基である、
化合物、またはその塩、溶媒和物もしくは水和物。
【請求項４】
ＲおよびＲ’が、両方とも−Ｈである、請求項３に記載の化合物。
【請求項５】
ａ、ｂおよびｃが、それぞれ独立して３または４である、請求項４に記載の化合物。
【請求項６】
ａが３であり、ｂが４であり、ｃが３である、請求項５に記載の化合物。
【請求項７】
ａ、ｂおよびｃが、それぞれ３である、請求項５に記載の化合物。
【請求項８】
下記構造式（ＩＩ）：
【化２】
2007505044.tif 000002
によって表される化合物、またはその塩、溶媒和物もしくは水和物であって、
ここで、
ｄ、ｅおよびｆはそれぞれ独立して１〜５の整数であり；
Ｒａは、−Ｈまたは置換もしくは非置換の、アルキル基、アシル基もしくはアリール基であり；
Ｒｂは、−Ｈ、または置換もしくは非置換のアルキル基、または一つ以上の酸素原子が間に入った置換もしくは非置換のヒドロカルビル基であり；そして
各Ｒｃは、独立して−Ｈまたは置換もしくは非置換のアシル基である、
化合物、またはその塩、溶媒和物もしくは水和物。
【請求項９】
Ｒａおよび各Ｒｃが−Ｈである、請求項８に記載の化合物。
【請求項１０】
ｄ、ｅおよびｆがそれぞれ独立して３または４である、請求項９に記載の化合物。
【請求項１１】
Ｒｂが、一つ以上の酸素原子が間に入った非置換のヒドロカルビル基である、請求項１０に記載の化合物。
【請求項１２】
ｄが３であり、ｅが４であり、ｆが３である、請求項１０に記載の化合物。
【請求項１３】
Ｒｂが３，６，９−トリオキサデシル基である、請求項１２に記載の化合物。
【請求項１４】
ｄ、ｅおよびｆがそれぞれ３である、請求項１０に記載の化合物。
【請求項１５】
下記構造式（ＩＩＩ）：
【化３】
2007505044.tif 000003
によって表される化合物、またはその塩、溶媒和物もしくは水和物であって、
ここで、
ｇ、ｈおよびｉはそれぞれ独立して１〜５の整数であり；
Ｌは結合基であり；
Ｒｄは、−Ｈまたは置換もしくは非置換の、アルキル基、アシル基もしくはアリール基であり；そして
各Ｒｅは、独立して−Ｈまたは置換もしくは非置換のアシル基である、
化合物、またはその塩、溶媒和物もしくは水和物。
【請求項１６】
Ｒｄおよび各Ｒｅが−Ｈである、請求項１５に記載の化合物。
【請求項１７】
ｇ、ｈおよびｉがそれぞれ独立して３または４である、請求項１６に記載の化合物。
【請求項１８】
Ｌが置換または非置換のアルキレン基である、請求項１７に記載の化合物。
【請求項１９】
ｇ、ｈおよびｉがそれぞれ３である、請求項１８に記載の化合物。
【請求項２０】
Ｌがペンタメチレン基である、請求項１９に記載の化合物。
【請求項２１】
ｇが３であり、ｈが４であり、ｉが３である、請求項１８に記載の化合物。
【請求項２２】
薬学的に受容可能なキャリアまたは希釈剤と、請求項１〜２１のいずれか１項に記載の化合物とを含有する薬学的組成物。
【請求項２３】
被験体における癌または腫瘍を治療するための医薬の製造における、薬学的に受容可能なキャリアまたは希釈剤と請求項１〜２１のいずれか１項に記載の化合物とを含有する薬学的組成物、あるいは請求項１〜２１のいずれか１項に記載の化合物の使用。
【請求項２４】
前記被験体に投与するための一つ以上のポリアミン合成阻害剤を含む、請求項２３に記載の使用。
【請求項２５】
前記ポリアミン合成阻害剤が、オルニチンデカルボキシラーゼ阻害剤、Ｓ−アデノシルメチオニンデカルボキシラーゼ阻害剤、スペルミジンシンターゼ阻害剤、またはスペルミンシンターゼ阻害剤である、請求項２４に記載の使用。
【請求項２６】
金属過多状態を罹患する被験体を治療するための医薬の製造における、薬学的に受容可能なキャリアまたは希釈剤と請求項１〜２１のいずれか１項に記載の化合物とを含有する薬学的組成物、あるいは請求項１〜２１のいずれか１項に記載の化合物の使用。
【請求項２７】
前記金属過多状態が、鉄過多状態である、請求項２６に記載の使用。
【請求項２８】
前記鉄過多状態が、全体的な鉄過多により特徴付けられる、請求項２７に記載の使用。
【請求項２９】
前記鉄過多状態が、原発性ヘモクロマトーシスである、請求項２８に記載の使用。
【請求項３０】
前記鉄過多状態が、慢性の輸血により引き起こされる、請求項２８に記載の使用。
【請求項３１】
前記鉄過多状態が、局所的な鉄過多により特徴付けられる、請求項２７に記載の使用。
【請求項３２】
前記鉄過多状態が、神経学的疾患または神経変性疾患により特徴付けられる、請求項３１に記載の使用。
【請求項３３】
金属キレーターの細胞への取り込みを高めるための医薬の製造における、請求項１〜２１のいずれか１項に記載の化合物、あるいは薬学的に受容可能なキャリアまたは希釈剤と請求項１〜２１のいずれか１項に記載の化合物とを含有する薬学的組成物の使用。
【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
被験体において神経発生を調節するための組成物であって、神経発生を調節するために十分な量のＦＴＹ７２０またはその誘導体を含み、該組成物は、該被験体における神経組織の中の細胞と接触させるのに適している、組成物。
【請求項２】
請求項１に記載の組成物であって、前記神経発生は、神経幹細胞または神経前駆細胞の増殖、分化、移動、または生存である、組成物。
【請求項３】
請求項２に記載の組成物であって、前記神経幹細胞または前記神経前駆細胞は、非胚性細胞である、組成物。
【請求項４】
神経幹細胞の増殖を増大させるための組成物であって、該組成物は、該細胞の増殖を増大させるために十分な量のＦＴＹ７２０またはその誘導体を含み、該組成物は、該細胞と接触させるのに適している、組成物。
【請求項５】
請求項４に記載の組成物であって、前記細胞は、非胚性細胞である、組成物。
【請求項６】
請求項４に記載の組成物であって、前記誘導体は、ＦＴＹ７２０Ｐである、組成物。
【請求項７】
請求項４に記載の組成物であって、前記ＦＴＹ７２０または前記誘導体は、０．００１ｎＭ〜０．０５ｎＭの濃度を得るように前記細胞に加えられるのに適している、組成物。
【請求項８】
請求項４に記載の組成物であって、前記ＦＴＹ７２０または前記誘導体は、０．０２ｎＭ〜０．０４ｎＭの濃度を得るように前記細胞に加えられるのに適している、組成物。
【請求項９】
請求項４に記載の組成物であって、前記細胞は、哺乳動物の細胞である、組成物。
【請求項１０】
請求項９に記載の組成物であって、前記細胞は、ヒトの細胞である、組成物。
【請求項１１】
請求項１０に記載の組成物であって、前記細胞は、成人の細胞である、組成物。
【請求項１２】
請求項４に記載の組成物であって、前記細胞と接触するのに適した１つ以上の増殖因子をさらに含む、組成物。
【請求項１３】
被験体において神経系障害の症状を緩和するための組成物であって、該組成物は、該症状を緩和させるために十分な量の、投与に適したＦＴＹ７２０またはその誘導体を含む、組成物。
【請求項１４】
請求項１３に記載の組成物であって、前記誘導体は、ＦＴＹ７２０Ｐである、組成物。
【請求項１５】
請求項１３に記載の組成物であって、前記神経系障害は、神経変性障害、神経幹細胞障害、神経前駆体障害、虚血性障害、神経の外傷および損傷、情動障害、神経心理学的障害、網膜の変性疾患、網膜の損傷および外傷、ならびに学習障害および記憶障害からなる群より選択される、組成物。
【請求項１６】
請求項１３に記載の組成物であって、前記神経系障害は、パーキンソン病、振せん麻痺障害、ハンティングトン病、アルツハイマー病、筋萎縮性側索硬化症、脊髄虚血、虚血性脳卒中、脊髄損傷、癌関連脳損傷、および癌関連脊髄損傷、シャイ−ドレーガー症候群、進行性核上麻痺、レヴィー小体病、脳卒中、大脳梗塞、多発梗塞性痴呆、および老人性痴呆からなる群より選択される、組成物。
【請求項１７】
請求項１３に記載の組成物であって、前記ＦＴＹ７２０または前記誘導体は、１ｎｇ／ｋｇ／日〜１ｍｇ／ｋｇ／日の濃度での投与に適している、組成物。
【請求項１８】
請求項１３に記載の組成物であって、前記ＦＴＹ７２０または前記誘導体は、１μｇ／ｋｇ／日〜０．１ｍｇ／ｋｇ／日の濃度での投与に適している、組成物。
【請求項１９】
請求項１３に記載の組成物であって、前記ＦＴＹ７２０または前記誘導体は、５μｇ／ｋｇ〜約０．０７ｍｇ／ｋｇの濃度での投与に適している、組成物。
【請求項２０】
請求項１３に記載の組成物であって、前記ＦＴＹ７２０または前記誘導体は、０．３ｍｇ〜１０ｍｇの量での投与に適している、組成物。
【請求項２１】
請求項１３に記載の組成物であって、前記被験体は、哺乳動物である、組成物。
【請求項２２】
請求項２１に記載の組成物であって、前記被験体は、ヒトである、組成物。
【請求項２３】
請求項２２に記載の組成物であって、前記被験体は、成人である、組成物。
【請求項２４】
請求項１３に記載の組成物であって、前記被験体への投与に適した１つ以上の増殖因子をさらに含む、組成物。
【請求項２５】
請求項１３に記載の組成物であって、前記被験体への投与に適した、抗うつ薬、抗不安処置の薬剤、抗精神病処置の薬剤、てんかん処置の薬剤、アルツハイマー処置の薬剤、パーキンソン処置の薬剤、ＭＡＯインヒビター、セロトニン取込み遮断薬、ノルアドレナリン取込み遮断薬、ドパミン取込み遮断薬、ドパミンアゴニスト、Ｌ−ドパ、精神安定薬、鎮静薬、およびリチウムからなる群より選択される１種以上の薬剤をさらに含む、組成物。
【請求項２６】
請求項１３に記載の組成物であって、該組成物は、全身投与に適している、組成物。
【請求項２７】
請求項１３に記載の組成物であって、該組成物は、経口経路、皮下経路、腹腔内経路、筋内経路、脳室内経路、クモ膜下腔内経路、頭蓋内経路、口腔経路、粘膜経路、経鼻経路、および直腸経路からなる群より選択される経路による投与に適している、組成物。
【請求項２８】
請求項１３に記載の組成物であって、該組成物は、経鼻噴霧剤または鼻用坐剤としての処方に適している、組成物。
【請求項２９】
請求項２８に記載の組成物であって、該組成物は、乾燥散剤吸入器または水溶液ベースの吸入器による投与に適している、組成物。
【請求項３０】
請求項１３に記載の組成物であって、該組成物は、前記被験体の中枢神経系への投与に適している、組成物。
【請求項３１】
インビトロにおいて非胚性神経幹細胞の増殖を増大させるための方法であって、該方法は、該細胞と、該細胞の増殖を増大させるために十分な量のＦＴＹ７２０またはその誘導体を含む組成物とを接触させる工程を包含する、方法。
【請求項３２】
請求項３１に記載の方法であって、前記誘導体は、ＦＴＹ７２０Ｐである、方法。
【請求項３３】
請求項３１に記載の方法であって、前記ＦＴＹ７２０または前記誘導体は、０．００１ｎＭ〜０．０５ｎＭの濃度で前記細胞に加えられる、方法。
【請求項３４】
請求項３１に記載の方法であって、前記ＦＴＹ７２０または前記誘導体は、０．０２ｎＭ〜０．０４ｎＭの濃度で前記細胞に加えられる、方法。
【請求項３５】
請求項３１に記載の方法であって、前記細胞は、哺乳動物の細胞である、方法。
【請求項３６】
請求項３５に記載の方法であって、前記細胞は、ヒトの細胞である、方法。
【請求項３７】
請求項３６に記載の方法であって、前記細胞は、成人の細胞である、方法。
【請求項３８】
請求項３１に記載の方法であって、前記細胞はさらに、１つ以上の増殖因子と接触させられる、方法。
【手続補正書】
【提出日】平成19年9月10日(2007.9.10)
【手続補正１】
【補正対象書類名】特許請求の範囲
【補正対象項目名】全文
【補正方法】変更
【補正の内容】
【特許請求の範囲】
【請求項１】
皮膚への局所適用に適したスキンケア組成物であって、１．５〜４重量％のサリチル酸又はその塩と、０．５〜１０重量％の過酸化水素とを含み、前記組成物は水相を含み、前記水相は含水アルコール系を含む単一相であるか、または、前記水相は油相と組み合わせられ、さらに、前記組成物は、抗菌剤、抗バクテリア剤、抗ウイルス剤、抗真菌剤、駆虫剤及び抗炎症剤からなる群から選択される他の治療薬を実質的に含まないことを特徴とするスキンケア組成物。
【請求項２】
サリチル酸を含むことを特徴とする請求項１に記載の組成物。
【請求項３】
前記組成物中の前記サリチル酸の濃度が１．８重量％以上であることを特徴とする請求項２に記載の組成物。
【請求項４】
前記サリチル酸の濃度が３重量％未満であることを特徴とする請求項２に記載の組成物。
【請求項５】
前記サリチル酸の濃度が１．８〜３重量％の範囲内であることを特徴とする請求項２に記載の組成物。
【請求項６】
前記組成物中の前記過酸化水素濃度が１重量％以上である請求項１〜請求項５のいずれか１項に記載の組成物。
【請求項７】
前記組成物中の前記過酸化水素の濃度が５重量％未満であることを特徴とする請求項６に記載の組成物。
【請求項８】
前記過酸化水素の濃度が３重量％未満であることを特徴とする請求項６に記載の組成物。
【請求項９】
前記過酸化水素の濃度が１〜５重量％の範囲内であることを特徴とする請求項６に記載の組成物。
【請求項１０】
前記サリチル酸と前記過酸化水素との比率が５:１〜１:２重量部の範囲内であることを特徴とする請求項６に記載の組成物。
【請求項１１】
前記組成物のｐＨが２．３〜６．０の範囲内であることを特徴とする請求項１〜請求項１０のいずれか１項に記載の組成物。
【請求項１２】
前記ｐＨが２．５〜４．０の範囲内であることを特徴とする請求項１１に記載の組成物。
【請求項１３】
キレート剤若しくは金属イオン封鎖剤、又は前記組成物中に存在する金属イオンとの錯形成若しくは他の相互作用が可能な他の作用物を更に含むことを特徴とする請求項１〜請求項１２のいずれか１項に記載の組成物。
【請求項１４】
前記キレート剤又は金属イオン封鎖剤が、エチレンジアミン四酢酸又はその塩であることを特徴とする請求項１３に記載の組成物。
【請求項１５】
前記作用物がスズ酸ナトリウムであることを特徴とする請求項１３に記載の組成物。
【請求項１６】
増粘剤を更に含むことを特徴とする請求項１〜請求項１５のいずれか１項に記載の組成物。
【請求項１７】
前記増粘剤が、アクリロイルジメチルタウリン酸のコポリマー又はその塩のコポリマーであることを特徴とする請求項１６に記載の組成物。
【請求項１８】
水性若しくは油性の溶液若しくは分散液、乳剤、又はゲルの形態を有することを特徴とする請求項１〜請求項１７のいずれか１項に記載の組成物。
【請求項１９】
乳剤の形態であることを特徴とする請求項１〜請求項１７のいずれか１項に記載の組成物。
【請求項２０】
前記乳剤が水中油型乳剤であることを特徴とする請求項１９に記載の組成物。
【請求項２１】
前記乳剤が油中水型乳剤であることを特徴とする請求項１９に記載の組成物。
【請求項２２】
水性溶媒系を含むことを特徴とする請求項１〜請求項２１のいずれか１項に記載の組成物。
【請求項２３】
前記溶媒系が、水と共溶媒とが混合されて含まれる混合溶媒系であることを特徴とする請求項２２に記載の組成物。
【請求項２４】
前記共溶媒が低級アルコールであることを特徴とする請求項２３に記載の組成物。
【請求項２５】
乳化剤、皮膚軟化剤、湿潤剤又は保湿剤、結合剤、コンディショニング剤、乳化安定性塩、防腐剤、研磨剤、ｐＨ調節剤、界面活性剤、香料及び着色剤から成る群から選択される一つ以上の添加剤を含むことを特徴とする請求項１〜２４のいずれか１項に記載の組成物。
【請求項２６】
前記組成物が他の治療薬を実質的に含まないことを特徴とする請求項１〜請求項２５のいずれか１項に記載の組成物。
【請求項２７】
請求項１〜請求項２６のいずれか１項に記載のスキンケア組成物を含浸させた繊維基体を含む製品。
【請求項２８】
前記繊維基体に含浸される前記スキンケア組成物の量は、前記繊維基体の１０〜３０重量％、好ましくは１５〜２５重量％、最も好ましくは１８〜２２重量％の範囲内であることを特徴とする請求項２７に記載の製品。
【請求項２９】
前記基体がセルロース繊維、綿繊維、又はそれらの混合繊維を含むことを特徴とする請求項２７又は請求項２８のいずれか１項に記載の製品。
【請求項３０】
抗菌剤、抗バクテリア剤、抗ウイルス剤、抗真菌剤、駆虫剤及び抗炎症剤からなる群から選択される他の治療薬を実質的に含まないサリチル酸及び過酸化水素の、にきびの予防的又は治療的処置用組成物の製造における使用。
【請求項３１】
組成物を皮膚に局所適用することによる、にきびの予防的又は治療的処置のための組成物の製造における、活性成分としてのサリチル酸及び過酸化水素のみの使用。
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
血栓性疾患、特に脳卒中、を治療するための、リシン結合能を有するプラスミノゲン活性化因子を含む組成物であって、該結合能は、天然のｔ−ＰＡの結合能と比較すると減少されている、組成物。
【請求項２】
クリングル２、あるいはそれと機能的または構造的に相同なドメインでの、前記プラスミノゲン活性化因子の変異によって特徴付けられる、請求項１に記載の組成物。
【請求項３】
クリングル２、あるいはそれと機能的または構造的に相同なドメインの欠失によって特徴付けられる、請求項２に記載の組成物。
【請求項４】
クリングル２リシン結合部位、あるいはそれと機能的または構造的に相同なドメインの変異によって特徴付けられる、請求項２に記載の組成物。
【請求項５】
Ｄ２３６Ｎの置換またはそれと相同なアミノ酸の置換によって特徴付けられる、請求項４に記載の組成物。
【請求項６】
前記プラスミノゲン活性化因子が、ｔ−ＰＡと、少なくとも７５％の相同性を示すことを特徴とする、請求項１〜５のいずれか１項に記載の組成物。
【請求項７】
前記ｔ−ＰＡ活性化部位が、タンパク分解性の開裂がおこらないような欠失または置換によって改変されることを特徴とする、請求項６に記載の組成物。
【請求項８】
前記アミノ酸位置Ｒ１５〜Ｉ１６の改変によって特徴付けられる、請求項７に記載の組成物。
【請求項９】
前記活性化部位が、ＬＨＳＴ配列を示すことを特徴とする、請求項８に記載の組成物。
【請求項１０】
前記クリングルとシステイン架橋との間の遷移領域において、前記プラスミノゲン活性化因子が、ＳＫＡＴを含むアミノ酸配列セグメントを示すことを特徴とする、請求項１〜９のいずれか１項に記載の組成物。
【請求項１１】
図３、図１１および図１３のいずれか１つに示されるアミノ酸配列を含む、プラスミノゲン活性化因子。
【請求項１２】
請求項１０に記載のプラスミノゲン活性化因子と、少なくとも７０％の同一性、好ましくは８０％〜９０％の同一性、特に好ましくは９５％の同一性によって特徴付けられる、プラスミノゲン活性化因子。
【請求項１３】
天然のＤＳＰＡと比較して、増加した血栓崩壊活性によって特徴付けられる、請求項１０〜１２のいずれか１項に記載のプラスミノゲン活性化因子。
【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
永久磁石モータや非同期モータなどの交流モータ、および該モータを制御するモータ駆動部とエレベータの運転制御に使用されるエレベータ制御部とを有し、該エレベータ制御部と該モータ駆動部との間に制御信号を伝送する制御経路が設けられた、トルク方向を変更しない、カウンタウェイトを有さないエレベータなどのエレベータの制御方法において、
前記モータを制御するために、位置およびトルク制御信号のみが前記エレベータ制御部と前記モータ駆動部との間で送られることを特徴とするエレベータの制御方法。
【請求項２】
請求項１に記載の方法において、前記モータは、位置信号などの制御信号として速度が符号化されたパルス波形によって制御され、該位置信号を使用して該モータに供給される電流または電圧信号を制御することを特徴とする方法。
【請求項３】
請求項１に記載の方法において、該方法は位置プロファイルを使用し、その算出をエレベータ制御部で実行することを特徴とする方法。
【請求項４】
請求項３に記載の方法において、モータ駆動の安全性はトラフィック制御部とモータ駆動部との間の２つの経路、すなわち位置プロファイルおよびトルク基準値に基づいており、そのどちらかが欠けていると前記エレベータが動かないことを特徴とする方法。
【請求項５】
永久磁石モータや非同期モータなどの交流モータ、および該モータを制御するモータ駆動部とエレベータの運転制御に使用されるエレベータ制御部とを有し、該エレベータ制御部と該モータ駆動部との間に制御信号を伝送する制御経路が設けられた、トルク方向を変更しない、カウンタウェイトを有さないエレベータなどのエレベータの制御システムにおいて、
該システムは前記制御部とモータ駆動部との間に２つの経路のみを備え、位置およびトルク制御信号のみが前記エレベータ制御部とモータ駆動部との間で送られて前記モータが制御されることを特徴とするエレベータの制御システム。
【請求項６】
請求項５に記載のシステムにおいて、前記エレベータは、エレベータシャフト内に設置された円盤状の交流電動機およびその制御システムを有することを特徴とするシステム。
【請求項７】
請求項５に記載のシステムにおいて、該制御システムは、前記エレベータモータに連結して一体化された駆動部、および該駆動部とは別に設けられたエレベータ制御部を備えることを特徴とするシステム。
【手続補正書】
【提出日】平成19年4月24日(2007.4.24)
【手続補正１】
【補正対象書類名】特許請求の範囲
【補正対象項目名】全文
【補正方法】変更
【補正の内容】
【特許請求の範囲】
【請求項１】
対称分布（３０２）に基づいてテクスチャマップ（４０２）を生成するステップと、
アンチエイリアシングされたラインおよび文字を形成するために前記テクスチャマップ（４０２）を多角形領域（５０２、６０２）に適用するステップと、
を含むアンチエイリアシングされたラインおよび文字を生成する方法。
【請求項２】
分布（３０２）に基づいてテクスチャマップ（４０２）を生成する前記ステップは、さらに、ガウス分布（３０２）に基づいてテクスチャマップ（４０２）を生成するステップを含む、請求項１に記載の方法。
【請求項３】
分布（３０２）に基づいてテクスチャマップ（４０２）を生成する前記ステップは、さらに、テクスチャマップ（４０２）におけるピクセル毎に、
テクセルと文字（８０１）を形成するそれぞれのラインセグメント（８０２）との間の最小距離を決定するステップと、
前記最小距離を使用して、対称分布（３０２）に基づき輝度値を決定するステップと、
前記テクセルと前記輝度値（Ｉ１）とを関連付けて、テクスチャマップ（４０２）を形成するステップとを含む、請求項１に記載の方法。
【請求項４】
表示されるライン毎または文字毎に、対称分布（３０２）を使用して生成される少なくとも１つのテクスチャマップ（４０２）を格納するためのテクスチャメモリ（１１１）と、
前記テクスチャメモリ（１１１）に結合され、前記テクスチャマップ（４０２）を多角形領域（５０２、６０２）に適用して、アンチエイリアスされたラインおよび文字を形成するように動作可能なグラフィックプロセッサユニット（１０９）と、
を備えるアンチエイリアシングされたラインおよび文字を形成するディスプレイシステム（１００）。